【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
利用者に持ち運びされるように構成された支持フレームであって、動力付き空気浄化人工呼吸器(ＰＡＰＲ)に接続される第１接続部材を有する、支持フレームと；
前記支持フレームで持ち運びされる自給式呼吸装置（ＳＣＢＡ）と；
前記支持フレームに接続される第２接続部材を有する動力付き空気浄化人工呼吸器と；
前記自給式呼吸装置と前記動力付き空気浄化人工呼吸器の双方と流体連通して接続される面体とを備え；
前記動力付き空気浄化人工呼吸器は、前記第１接続部材と前記第２接続部材で前記支持フレームと前記動力付き空気浄化人工呼吸器を連結することにより、前記支持フレームに据付けられ支持されるようになされ、前記動力付き空気浄化人工呼吸器は、前記自給式呼吸装置の圧力容器を前記支持フレームから取り外すことなく前記支持フレームから分離されるようになされる；
空気供給／空気浄化組合せ呼吸システム。
【請求項２】
前記動力付き空気浄化人工呼吸器と前記自給式呼吸装置は共に前記支持フレームに据付けられ支持されるが、前記動力付き空気浄化人工呼吸器と前記自給式呼吸装置は互いに独立して使用するようになされた；
請求項１の空気供給／空気浄化組合せ呼吸システム。
【請求項３】
前記動力付き空気浄化人工呼吸器を前記支持フレームから分離されているときに、前記自給式呼吸装置は前記動力付き空気浄化人工呼吸器から独立して使用されるようになされた；
請求項１の空気供給／空気浄化組合せ呼吸システム。
【請求項４】
前記動力付き空気浄化人工呼吸器は肩掛けアセンブリを含む；
請求項１の空気供給／空気浄化組合せ呼吸システム。
【請求項５】
ラッチアセンブリの連結部品は前記第１接続部材と前記第２接続部材に配置され、それによって前記支持フレームと前記動力付き空気浄化人工呼吸器との連結を容易にする；
請求項１の空気供給／空気浄化組合せ呼吸システム。
【請求項６】
前記支持フレームは前記動力付き空気浄化人工呼吸器を所定位置に案内する一対のロッドを含む；
請求項１の空気供給／空気浄化組合せ呼吸システム。
【請求項７】
前記動力付き空気浄化人工呼吸器は前記自給式呼吸装置の圧力容器の下部で、前記圧力容器と前記支持フレームとの間に据え付けられる；
請求項１の空気供給／空気浄化組合せ呼吸システム。
【請求項８】
前記動力付き空気浄化人工呼吸器は第１ホースアセンブリによって前記面体に接続され、前記自給式呼吸装置は第２ホースアセンブリによって前記面体に接続される；
請求項１の空気供給／空気浄化組合せ呼吸システム。
【請求項９】
空気供給／空気浄化組合せ呼吸システムを使用する方法であって：
動力付き空気浄化人工呼吸器と、支持フレームで持ち運びされる自給式呼吸装置と、面体とを有する空気供給／空気浄化組合せ呼吸システムを提供する工程であって、前記自給式呼吸装置は、前記動力付き空気浄化人工呼吸器から分離され接続を切られた状態において提供され、前記動力付き空気浄化人工呼吸器は、前記支持フレームから前記自給式呼吸装置の圧力容器を取り外すことなく前記支持フレームから分離するようになされる、空気供給／空気浄化組合せ呼吸システムを提供する工程と；
初めに前記動力付き空気浄化人工呼吸器を通じて、前記面体を介して、利用者に呼吸用空気を供給する工程と；
前記利用者が前記動力付き空気浄化人工呼吸器を通じて安全に外気を呼吸できない環境に入ったときに、前記利用者への呼吸用空気の流れを妨害することなく前記自給式呼吸装置を前記動力付き空気浄化人工呼吸器と接続する工程と、前記動力付き空気浄化人工呼吸器からではなく前記自給式呼吸装置から、前記面体を介して、前記利用者へ呼吸用空気を供給する工程と；
前記利用者が前記動力付き空気浄化人工呼吸器を通じて安全に外気を呼吸できない環境を去ったときに、前記利用者への呼吸用空気の流れを妨害することなく、前記自給式呼吸装置からではなく前記動力付き空気浄化人工呼吸器から、前記面体を介して、前記利用者へ呼吸用空気を再度供給する工程とを備える；
方法。
【請求項１０】
前記動力付き空気浄化人工呼吸器は、前記面体とは別に前記利用者に持ち運ばれるが前記面体とホースアセンブリで接続されるフィルターキャニスターとブロワとを含む；
請求項９の方法。
【請求項１１】
前記自給式呼吸装置を前記動力付き空気浄化人工呼吸器と接続する工程は、前記動力付き空気浄化人工呼吸器を前記自給式呼吸装置を支持する前記支持フレームに取り付ける工程を含む；
請求項９の方法。
【請求項１２】
前記自給式呼吸装置を前記動力付き空気浄化人工呼吸器と接続する工程は、前記圧力容器を前記支持フレームから取り外すことなしに、前記動力付き空気浄化人工呼吸器を前記自給式呼吸装置を支持する前記支持フレームに取り付ける工程を含む；
請求項９の方法。
【請求項１３】
前記自給式呼吸装置を前記動力付き空気浄化人工呼吸器と接続する工程は、前記利用者への前記呼吸用空気の流れを中断することなしに、前記自給式呼吸装置から延在するホースアセンブリを前記面体へ接続する工程を含む；
請求項９の方法。
【請求項１４】
前記動力付き空気浄化人工呼吸器を通じて安全に外気を呼吸できない環境を去り、前記自給式呼吸装置からではなく前記動力付き空気浄化人工呼吸器から空気を再度供給する工程の後に、前記利用者への前記呼吸用空気の流れを妨害することなく、前記動力付き空気浄化人工呼吸器を前記自給式呼吸装置から分離する工程と前記自給式呼吸装置を廃棄する工程とをさらに備える；
請求項９の方法。
【請求項１５】
空気供給／空気浄化組合せ呼吸システムであって、
自給式呼吸装置であって、利用者に該自給式呼吸装置からの呼吸用空気を提供するための面体を含む自給式呼吸装置と；
動力付き空気浄化人工呼吸器であって、少なくとも１つのフィルターとブロワとを含み、ホースアセンブリにより前記面体に接続される出口を有する、動力付き空気浄化人工呼吸器と；
前記動力付き空気浄化人工呼吸器が前記自給式呼吸装置に連結されているかを認識する安全スイッチであって、信号を発信する安全スイッチと；
前記自給式呼吸装置を前記動力付き空気浄化人工呼吸器に操作して連結するコントロールインターフェースであって、該コントロールインターフェースは、前記安全スイッチで発信された信号を受信し、前記安全スイッチが前記動力付き空気浄化人工呼吸器が前記自給式呼吸装置と連結していると示さない限り、前記空気供給／空気浄化組合せ呼吸システムが第１の運転モードから第２の運転モードに切り替わるのを防止し、ここで、第１の運転モードでは空気が前記動力付き空気浄化人工呼吸器から利用者に供給され、第２の運転モードでは空気が前記自給式呼吸装置から前記利用者に供給される、コントロールインターフェースとを備える；
空気供給／空気浄化組合せ呼吸システム。
【請求項１６】
前記利用者が、前記面体を取り外すことなしに前記自給式呼吸装置または前記動力付き空気浄化人工呼吸器のいずれかから呼吸できるようになされた；
請求項１５の空気供給／空気浄化組合せ呼吸システム。
【請求項１７】
前記コントロールインターフェースは、前記自給式呼吸装置が作動化されたかを認識するセンサを含む；
請求項１５の空気供給／空気浄化組合せ呼吸システム。
【請求項１８】
前記コントローラは、前記自給式呼吸装置が作動化されたと判断されると前記動力付き空気浄化人工呼吸器を不作動化する；
請求項１５の空気供給／空気浄化組合せ呼吸システム。
【請求項１９】
前記センサが圧力作動式である；
請求項１７の空気供給／空気浄化組合せ呼吸システム。
【請求項２０】
前記コントローラは磁気スイッチを含み、磁気ピストンが該磁気スイッチと磁気的に相互作用して前記動力付き空気浄化人工呼吸器の不作動化を開始させる；
請求項１５の空気供給／空気浄化組合せ呼吸システム。
【請求項２１】
前記センサは、前記自給式呼吸装置内に所定のガス圧力が生じたときに信号を発信するようになされた圧力変換器を含む；
請求項１７の空気供給／空気浄化組合せ呼吸システム。
【請求項２２】
前記圧力変換器により発信された信号は電気接続を介して前記コントローラで受信される；
請求項２１の空気供給／空気浄化組合せ呼吸システム。
【請求項２３】
前記動力付き空気浄化人工呼吸器は電動ブロワを含み、前記コントローラは該電動ブロワを電気的に運転中止することで前記動力付き空気浄化人工呼吸器の運転を中止する；
請求項１５の空気供給／空気浄化組合せ呼吸システム。
【請求項２４】
前記安全スイッチは磁気リードスイッチを含む；
請求項１５の空気供給／空気浄化組合せ呼吸システム。